(57)【要約】【課題】印刷パターンに凹凸を形成することによって印刷パターンとの間にモアレを生成させ、正面からの観察状態では視認できない文字や図柄などのパターンを所定の角度から観察することによって視認できる印刷物を提供する。【解決手段】前記課題の目的を達成するために、有色で同一ピッチの万線で構成された第１のパターンと、前記第１のパターンの少なくとも１部を共有するように万線状凹凸を有する画素で構成された第２のパターンが形成された印刷物において、印刷物を前記第１のパターンの万線に直交する方向に傾けて前記第１のパターンを観察したときに前記第２のパターンによる潜像を生成する潜像パターンを有する印刷物を提供する。【選択図】　図１
2004106311.tif 000002
【特許請求の範囲】
【請求項１】
有色で同一ピッチの万線で構成された第１のパターンと、前記第１のパターンの少なくとも１部を共有するように万線状凹凸を有する画素で構成された第２のパターンが形成された印刷物において、印刷物を前記第１のパターンの万線に直交する方向に傾けて前記第１のパターンを観察したときに前記第２のパターンによる潜像を生成することを特徴とする潜像パターンを有する印刷物。
【請求項２】
前記第１のパターンの万線と、前記第２のパターンの万線状凹凸は、１度以上３０度以下の角度で交差するように形成されていることを特徴とする請求項２に記載の潜像パターンを有する印刷物。
【請求項３】
請求項３に記載の潜像パターンを有する印刷物において、第１のパターンは印刷によって形成され、第２のパターンはエンボスにより形成されることを特徴とする潜像パターンを有する印刷物の作製方法。
【請求項４】
請求項３に記載の潜像パターンを有する印刷物において、第２のパターンは、不透明で乱反射面を有する材料により凸状に形成され、その後第１のパターンが第２のパターンの上に印刷によって形成されることを特徴とする潜像パターンを有する印刷物の作製方法。
【発明の詳細な説明】
【０００１】
【発明の属する技術分野】
本発明は、凹凸によって印刷パターンとの間にモアレを生成させ、正面からの観察状態では視認できない文字や図柄などのパターンを所定の角度から観察することによって視認可能とした印刷物に関する。
【０００２】
【従来の技術】
通常の状態では視認できないパターンを、特定の条件を指定することによって視認可能とする技術に関して各種開示されている。
上記開示技術は、生成されるパターンを潜像パターンと称し、偽造防止手段として提供している（例えば特許文献１参照）。
前記特許文献１に記載の手法によれば、万線状のパターンを凹版印刷方式で印刷し、その上に若干位置をずらして凹版インキと非親和性のオフセットインキによって重ね刷りする方法によって、印刷されたものを傾けるとオフセット印刷方式で印刷した部分が凹版印刷方式で印刷した部分の影になって視認できなくなり、前述の通常の状態では視認できないパターンを、特定の条件を指定することによって生成する技術として開示している。
前記技術は、凹版印刷技術を使用するために特殊な紙質を必要とすること、凹版印刷方式であるために印刷スピードが遅い、凹版印刷インキが高価であるなどの欠点が有った。
【０００３】
【特許文献１】
特開平２−１２７０７８号公報
【０００４】
【発明が解決しようとする課題】
本発明は、印刷パターンに凹凸を形成することによって印刷パターンとの間にモアレを生成させ、正面からの観察状態では視認できない文字や図柄などのパターンを所定の角度から観察することによって視認できる印刷物を提供するものである。
【０００５】
【課題を解決するための手段】
前記課題の目的を達成するために、本発明の潜像パターンを有する印刷物の請求項１に記載の発明は、有色で同一ピッチの万線で構成された第１のパターンと、前記第１のパターンの少なくとも１部を共有するように万線状凹凸を有する画素で構成された第２のパターンが形成された印刷物において、印刷物を前記第１のパターンの万線に直交する方向に傾けて前記第１のパターンを観察したときに前記第２のパターンによる潜像を生成することを特徴とするものである。
【０００６】
また、請求項２に記載の発明は、請求項１に記載の発明において、第１のパターンの万線と、第２のパターンの万線状凹凸は、１度以上３０度以下の角度で交差するように形成されていることを特徴とするものである。
【０００７】
また、請求項３に記載の発明の潜像パターンを有する印刷物の作製方法は、請求項１、または２に記載の潜像パターンを有する印刷物において、第１のパターンは印刷によって形成され、第２のパターンはエンボスにより形成されることを特徴とするものである。
【０００８】
また、請求項４に記載の発明の潜像パターンを有する印刷物の作製方法は、請求項１、または２に記載の潜像パターンを有する印刷物において、第２のパターンは、不透明で乱反射面を有する材料により凸状に形成され、その後第１のパターンが第２のパターンの上に印刷によって形成されることを特徴とするものである。
【０００９】
【発明の実施の形態】
以下、図面を参照して本発明の潜像パターンを有する印刷物及びその作製方法について説明する。
図１は、本発明の潜像パターンを有する印刷物の第１の実施形態について説明するための図、図２は、本発明の潜像パターンを有する印刷物の第２の実施形態について説明するための図、図３は、図１のｂ図の一部平面拡大図、図４は、図２のｇ図の一部平面拡大図、図５は、図１のｃ図の一部平面拡大図、図６は、図２のｈ図の一部平面拡大図、図７は、図５を斜めから観察した図、図８、図９は、本発明の潜像パターンを有する印刷物の製造手順の一実施形態についての説明図である。
【００１０】
図１を参照して、本発明の潜像パターンを有する印刷物の、第１のパターンの万線のピッチと、第２のパターンのピッチが異なっている場合の第１の実施形態について説明する。
本発明で“万線”とは、“ある幅を持たせた直線をその幅の２〜３倍のピッチで複数本並べた平行線の集まり”という意味である。
図１で示す凹凸状のパターン（以下第２のパターンという。）“ＸＹＺ”３ａは、万線状の画素で構成されており、そのピッチ３０ａは、印刷万線パターン（以下第１のパターンという。）２ａのピッチの１．５倍になっている。
第２のパターン３ａは、有色インキで印刷されている第１のパターン２ａに重ねて形成される（ｂ図参照）。
図１に示すａ図、ｂ図、ｃ図、ｄ図、ｅ図の第２のパターン“ＸＹＺ”は、説明し易いように着色しているが実際は、無色の万線状凹凸の集合で、第１のパターンである印刷万線パターン２ａの真上（正面）から見た場合、印刷万線パターン２ａだけが見える状態になっている。
【００１１】
ｂ図は、第２のパターンを構成している万線状パターンと、第１のパターンとが交差する角度が０度、即ち平行状態となっている状態を示している。
第１のパターンと、第２のパターンの万線のピッチは半ピッチ異なっているために、図示しないが、第２のパターンを構成する最初の山と、４つ目の山に対して、第１のパターンの印刷された万線の最初の線と６番目の線が重なる。
【００１２】
ｃ図は、第２のパターンを構成している万線状パターンが、第１のパターンと３度の角度で交差している場合である。ｂ図の場合と同様、第１のパターンの万線と第２の万線が重なり合って、黒い集合になって見える部分に重なりがあることが分る。
【００１３】
ｄ図は、第２のパターンを構成している万線状パターンが、第１のパターンと１２度の角度で交差している場合である。
この角度になると、重なり部分の集合が第２のパターンＸＹＺに近似の形状を成していることが分る。
【００１４】
ｅ図は、第２のパターンを構成している万線状パターンが、第１のパターンと２１度の角度で交差している場合である。
ｅ図では、重なり部分の集合がｄ図と比較した場合、第２のパターンＸＹＺに、より近似の形状を成していることが分る。
【００１５】
図２を参照して、第２のパターンの凹凸の凹部間ピッチ（または、凸部間ピッチ）が第１のパターンの万線のピッチと同一の場合の１実施形態について説明する。
図２において、ｆ図に示す第２のパターン３ｆは、万線状の画素で構成されており、そのピッチ３０ｆは、第１のパターン２ｆのピッチと同一ピッチになっている。第２のパターン３ｆは、有色インキで印刷されている第１のパターン２ｆに重ねて形成される。
図２に示すｆ図、ｇ図、ｈ図、ｉ図、ｊ図の第２のパターンは、説明し易いように着色しているが実際は無色の万線状凹凸の集合で、第１のパターンである印刷万線パターン２ｆの真上から見た場合、印刷万線パターン２ｆだけが見える状態になっている。
【００１６】
ｆ図は、第２のパターンを構成している万線状パターンと、第１の万線パターンとが交差する角度が０度、即ち平行状態となっている状態を示している。
第１のパターンと、第２のパターンの万線のピッチは同一ピッチとなっているために、図示しないが第２のパターンを構成する最初の凸部と、２つ目の凸部に対して、第１のパターンの印刷された万線の線、または、白抜けの部分が重なる。ｆ図では、ＸＹＺの凸部が第１のパターンの有色の線の部分に重なっている場合である。
【００１７】
ｇ図は、第１のパターンと、第２のパターンの万線のピッチが同一ピッチとなっているために、図示しないが第２のパターンを構成する最初の凸部と、２つ目の凸部に対して、第１のパターンの有色で印刷された万線の線、または、スペースの部分が重なる。ｆ図の場合と異なって、ＸＹＺの凸部が第１のパターンの有色の線の部分に重なっている場合である。
【００１８】
ｈ図は、第２のパターンを構成している万線状パターンが、第１のパターンと３度の角度で交差している場合である。
ｈ図の場合、第１のパターンと、第２のパターンによって生成されるモアレパターンが、第１のパターン上に広幅の縦縞状となって現れ、そのために、重なり合った黒い集合を、第２のパターンである“ＸＹＺ”として認識ることは不可能である。
【００１９】
ｉ図は、第２のパターンを構成している万線状パターンが、第１のパターンと１２度の角度で交差している場合である。
この角度でも、ｈ図同様重なり部分の集合を第２のパターンであるＸＹＺとして認識ることは不可能である。
【００２０】
ｊ図は、第２のパターンを構成している万線状パターンが、第１のパターンと２１度の角度で交差している場合である。
この角度になると、重なり部分の集合が第２のパターンＸＹＺに近似の形状を成してくるものの、第１のパターンに対して直角に交差する方向の縦縞状の集団である。
図１のｅ図と比較すると、図１のｅ図は第１のパターンと第２のパターンの重なりによって生じる黒い部分がＸＹＺ文字の中に均等に散りばめられているのに対し、図２のｊ図の場合、前記黒い部分が縦縞状になっていて、“ＸＹＺ”と認識することは難しくなっている。
【００２１】
前述、図１、図２の説明で明らかなように、第１のパターンによって第２のパターンによる潜像をより効果的に認識するためには、第１のパターンは、第２のパターンとピッチが異なっている方が、また、所定の角度で交差している方が好ましいことが分る。
【００２２】
図３を参照して、図１のｂ図の一部を拡大した状態について説明する。
図１に示す、印刷による有色の第１のパターン２ａと、潜像を生成する第２のパターン３ａが形成された印刷物の平面の一部を切り取って拡大すると図３のような状態になっている。
第２のパターンは凹凸状になっていて、１点鎖線で示す山（凸）３２ｂと、実線で示す谷（凹）３１ｂが形成されている。図１の場合は、第１のパターンの万線のピッチと、第２のパターンの凹部（凹部）のピッチが、１対１．５になっているために、第１のパターンの１本目の線と、第２のパターンの最初の山が一致した後は、第１のパターンの６本目の線と、第２のパターンの４本目山部で一致する。
このような状態を矢印５で示す方向から観察した場合に、潜像生成エリア４ｂに示すように観察され、３本の万線が視認される。
【００２３】
図４を参照して、図２のｇ図の一部を拡大した状態について説明する。
図２の第１のパターン２ｆが印刷され、潜像パターン３ｆが形成された印刷物の平面の一部を切り取って拡大すると、図４に示す状態になっている。
第２のパターンは凹凸状になっていて、１点鎖線で示す凸部３２ｇと、実線で示す凹部３１ｇが複数平行に形成されている。
図２の場合は、第１のパターンと、第２のパターンは、万線の線の間隔と、凹凸の凹部（または、凸部）の間隔が１対１になっているために、第１のパターンの１本目の線と、第２のパターンの最初の凹部が一致した後は、第１のパターンの２本目以外の線と、第２のパターンの２本目以外の凹部で一致する。
このような状態を矢印５で示す方向から観察した場合に、潜像は、潜像生成エリア４ｇに示すように観察され、第１のパターンの万線２０は、第１のパターンを形成する印刷色として第２のパターンの凸部に隠されて１本も視認されない。
【００２４】
図５を参照して、図１のｃ図の一部を拡大した状態について説明する。
図１のｃ図に示すごとく、第１のパターン（２ａ）が印刷され、潜像パターン（３ａ）が形成された印刷物の平面の一部を切り取って拡大すると図５のような状態になっている。
第２のパターンは凹凸状になっていて、１点鎖線で示す凸部３２ｃと、実線で示す凹部３１ｃが形成されている。図１の場合は、第１のパターンと、第２のパターンは万線の線の間隔と、凹凸の凸部の間隔が１対１．５になっていて、第１のパターンと第２のパターンが３度の角度で交差しているために、図５の矢印５の方向から観察した場合に、第１のパターンによる第２のパターンの潜像は、潜像生成エリア４ｃに示すように観察される。
【００２５】
このように図４では、第１のパターンを形成する印刷色として１本も観察されなかった潜像画素が、図５では５本観察することができる。
【００２６】
比較のために、図６を参照して、図２のｇ図の一部を拡大した状態について説明する。
図２のｇ図に示すごとく、第１のパターン（２ｆ）が印刷され、第２のパターン（３ｆ）が形成された印刷物の平面の一部を切り取って拡大すると図６のような状態になっている。第２のパターンは凹凸状になっていて、１点鎖線で示す凸部３２ｇと、実線で示す凹部３１ｇが形成され、第１のパターンと、第２のパターンは万線の線の間隔と、凹凸の凸部の間隔が１対１になっていて、第１のパターンと第２のパターンが３度の角度で交差している。
矢印５の方向から潜像パターンを有する印刷物１０を観察した場合に、第１のパターンによる第２のパターンの潜像は、潜像生成エリア４ｇに示すように観察される。
【００２７】
図７は、図５を水平状態に近い斜め方向から観察した図であるが、第１のパターン２が、第２のパターンである凹部３１ｃに一部、または、全部の部分が隠され、凸部の手前に在って、その手前の凸部に遮られない第１のパターンが観察されていることが分る。
【００２８】
図８を参照して本発明の潜像パターンを有する印刷物の製造手順の一実施形態について説明する。
まず、第１のパターンを作製するために、万線スクリーンと未露光の製版用フィルムを密着させて実線幅とスペースの幅が１対２となるように万線スクリーン側から露光し、万線パターン原版を作製する。
最初のステップ（以下Ｓという。）で、前述の万線パターン原版を製版カメラにセットし、第２のパターンとの関連で所定の大きさに拡大撮影し作製する（Ｓ８１）。
次に、第１のパターンと同一の色の万線以外の図柄の版を作製する（Ｓ８２）。
Ｓ８１で作製した万線パターンと、Ｓ８２で作製した印刷絵柄の分色版を１つの版にするために合成し、合成原版を作製する（Ｓ８３）。
合成原版を印刷紙の大きさに応じて多面露光を行い、印刷用の版である刷版を作製する（Ｓ８４）。
万線、その他の印刷部を印刷し、印刷物を作製し（Ｓ８５）、保管する。
【００２９】
次に、第２のパターンを作製する。
第２のパターンは、潜像生成パターンで、文字パターンの場合や、絵柄パターンの場合がある。
前述の第１のパターンとの関連でピッチを決める。通常、第２のパターンのピッチを第１のパターンのピッチよりも広くする。
印刷物を部分的に加圧して第２のパターンである凹凸を形成するために、凹版を作製する。そこで、凹版作製のためのフィルム原版を作製する（Ｓ８９）。
凹版作製手段として薬品によってエッチングし凹部を作製する方法と、機械的に溝を形成して作製する方法があるが、いずれかの方法によって第２のパターン形成手段（押し型）を作製する（Ｓ９０）。
【００３０】
エンボスマシンに前記押し型を取り付け、Ｓ８５で作製保管していた印刷物に第２のパターンを形成する（Ｓ９１）。
印刷物に上記エンボス特性を付与させるために、印刷紙としては長繊維で比較的粗な特性を有する紙を使用する。
紙質を選択できない場合は、エンボス部に湿りを与え、エンボス面を軟らかくしてからエンボス加工を行う。
多面付け状態の印刷物を所定の大きさに裁断し、潜像パターンを有する１枚の印刷物に仕上げる（Ｓ９２）。
多面の状態から１枚の印刷物に仕上げた後でエンボス加工を行っても良い。
【００３１】
図９を参照して本発明の潜像パターンを有する印刷物製造手順の、他の実施形態例についての説明する。
まず、第２のパターンを作製する。
第２のパターンには文字パターンや、絵柄パターンがある。
前述の実施形態で説明したと同様、第１のパターンとの関連で第２のパターンの線分間のピッチを決める。
まず、万線スクリーンと未露光の製版用フィルムを密着させて実線幅とスペースの幅が１対２となるように万線スクリーン側から露光し、万線パターン原版を作製する（Ｓ９１）。
得られた万線パターン原版を製版カメラを使用し、所定の大きさに拡大して印刷版作製原版を作製する（Ｓ９２）。
本実施形態では、凹版印刷方式によって第２パターンを形成するため、多面付け凹版を作製する（Ｓ９３）。
【００３２】
次に、印刷物の第１のパターン以外の絵柄や、文字の製版原稿を作製する（Ｓ９４）。
各色の製版原稿からフィルム原版を作製（Ｓ９５）し、印刷用の版である刷版を作製する（Ｓ９６）。
最初に、絵柄を印刷（Ｓ９７）し、その上から第２のパターンを印刷する（Ｓ９８）。
第２のパターンは、例えば、発泡インキのように熱などを加えることによって不可逆的に発泡させ凸部を形成する方法、印刷インキが未乾燥の時点でインキの上に熱で溶融するプラスチックの粉末を振りかけ、印刷された部分を樹脂で被覆して凸部を形成する方法、凹版印刷などによって印刷部を盛り上げる方法等によって形成する。
【００３３】
次に、第１のパターンである万線パターンを作製する。
まず、万線パターン原版を万線スクリーンから実線幅とスペースの幅が１対２となるように製版用フィルムに露光し、万線原版を作製する（Ｓ９９）。
得られた万線原版を製版カメラなどによって、所定の大きさに拡大して印刷用原版即ち第１のパターン原版を作製する（Ｓ１００）。
第１のパターン原版を印刷紙の大きさに応じて多面露光し、印刷用の版である刷版を作製する（Ｓ１０１）。
【００３４】
Ｓ９８で作製した印刷物の第２のパターン上に第１のパターンを印刷する（Ｓ１０２）。
印刷物を所定の大きさに断裁し一枚の潜像パターンを有する印刷物を作製する（Ｓ１０３）。
第２のパターンが形成された多面状の印刷物を裁断し、１枚の印刷物にした後で第１のパターンを印刷しても良い。
【００３５】
【発明の効果】
（１）請求項１に記載のように、有色で同一ピッチの万線で構成された第１のパターンと、前記第１のパターンの少なくとも１部を共有するように万線状凹凸を有する画素で構成された第２のパターンが形成された印刷物において、印刷物を前記第１のパターンの万線に直交する方向に傾けて前記第１のパターンを観察したときに前記第２のパターンによる潜像を生成することにより安価で、セキュリティ性の高い潜像パターンを有する印刷物を得ることができる。
（２）請求項２に記載のように、請求項１に記載の潜像パターンを有する印刷物の第１のパターンの万線と、前記第２のパターンの万線状凹凸を１度以上３０度以下の角度で交差するように形成することによって、第１のパターンと第２のパターンによって発生するモアレが潜像生成率を高め、その結果印刷物の歩留まりが向上し、コストダウンを計ることができる。
（３）請求項３に記載のように、請求項１、または２に記載の第１パターンの部分にエンボス法で第２のパターンを形成することによって印刷物のコストを削減することができる。
（４）請求項４に記載のように、請求項１、または２に記載の第１パターンの部分に印刷法で第２のパターンを形成することによって印刷物に使用する紙を厚紙とすることができるなど、紙質の選択が自由になる。更に、ベースとなる紙などに凹凸を付けることがないために印刷精度が向上し、セキュリティ性の高い潜像パターンを有する印刷物を得ることができる。また、凹凸部分に圧力が加わることによって凹凸の高さが変化しないために第２のパターンの耐久性が向上し品質を長期間維持することができる。
【図面の簡単な説明】
【図１】本発明の潜像パターンを有する印刷物の第１の実施形態について説明するための図
【図２】本発明の潜像パターンを有する印刷物の第２の実施形態について説明するための図
【図３】図１のｂ図の一部平面拡大図
【図４】図２のｇ図の一部平面拡大図
【図５】図１のｃ図の一部平面拡大図
【図６】図２のｈ図の一部平面拡大図
【図７】図５を斜めから観察した図
【図８】本発明の潜像パターンを有する印刷物の製造手順の一実施例についての説明図
【図９】本発明の潜像パターンを有する印刷物の製造手順の一実施例についての説明図
【符号の説明】
１、１０　潜像パターンを有する印刷物（印刷基体）
２、２０　印刷による万線パターン（第１のパターン）
３　　　エンボス型パターン（第２のパターン）
４　　　潜像パターン表示エリア
５　　　潜像パターン観察方向
３０　　ピッチ
３１　　凹凸の谷部
３２　　凹凸の山部
【図１】
2004106311.tif 000003
【図２】
2004106311.tif 000004
【図３】
2004106311.tif 000005
【図４】
2004106311.tif 000006
【図５】
2004106311.tif 000007
【図６】
2004106311.tif 000008
【図７】
2004106311.tif 000009
【図８】
2004106311.tif 000010
【図９】
2004106311.tif 000011